(57)【特許請求の範囲】
【請求項１】
複層ガラスを支持するサッシ枠と、該サッシ枠と前記複層ガラスの間に配設された導電性バックアップ材と、複層ガラスの層内および層外の２面に貼られた導電性フィルムと、前記層内側の導電性フィルムに張られた導電性メッシュとを備え、前記層内側および層外側の導電性フィルムを延設し導電性バックアップ材を介してサッシ枠に電気的に接続し、前記導電性メッシュを導電性バックアップ材とサッシ枠の間を通してサッシ枠に電気的に接続したことを特徴とする電磁波遮蔽窓。
【請求項２】
複層ガラスを支持するサッシ枠と、該サッシ枠と前記複層ガラスの間に配設された導電性バックアップ材と、複層ガラスの層内の２面に貼られた導電性フィルムと、前記２面の導電性フィルムに張られた導電性メッシュとを備え、前記２面の導電性フィルムを延設し導電性バックアップ材を介してサッシ枠に電気的に接続し、前記２面の導電性メッシュを導電性バックアップ材とサッシ枠の間を通してサッシ枠に電気的に接続したことを特徴とする電磁波遮蔽窓。
【発明の詳細な説明】
【０００１】
【発明の属する技術分野】
本発明は、電磁波遮蔽材を用いて床や天井、壁、窓開口部に電磁波遮蔽層を形成し電磁波遮蔽空間を構成する電磁波遮蔽ビルの技術分野に属する。
【０００２】
【従来の技術】
電波を使った無線通信方式を採用する場合には、使用周波数帯域について電波法の規制が問題になる。そこで、このような電波法による規制を受けることなく、自由に使用周波数帯域を選択、設定して独自の無線による通信方式を採用するためには、ビル内の空間を外部から電磁的に遮蔽した電磁波遮蔽ビルの構築が不可欠となる。既に出願人は、このような電磁波遮蔽ビルに関し、例えば特公平６−９９９７２号公報や特公平６−９９９７３号公報、特公平７−１６１１８号公報、特公平６−７６７０６号公報に、ビルの躯体や外壁の遮蔽構造について提案し、特公平６−９９９７１号公報や特公平６−３３６９９号公報、特公平６−１３８２２号公報に、ビルの出入口の遮蔽構造について、特公平６−６３４０７号公報や特公平５−７９７９０号公報、特公平３−５８５５７号公報に、窓開口部の遮蔽構造について提案している。また、特公平３−６２３２０号公報や特公平３−４５９７２号公報、特公平３−６２３１８号公報、特公平５−３４１５９号公報に、天井や階層別の遮蔽構造について提案している。
【０００３】
図４は、本発明に係わる電磁波遮蔽ビルの構成概要を示す図であり、壁１は、例えば躯体の内壁に金属メッシュや金属箔（フイルム）、不織布、その他導電性繊維を用いたシート等を貼ったり、導電性塗料を塗って電磁波遮蔽層を形成したもの、或いはこのような電磁波遮蔽層を片面に形成したボードを用いたものである。天井２、床３も、壁１と同様の施工を行い、或いは電磁波遮蔽材を貼り合わせたパネルを用いたものである。窓４は、窓ガラスの片面又は両面に上記と同様に電磁波遮蔽材を用いて電磁波遮蔽膜を形成し、この電磁波遮蔽膜をサッシ枠に接続することにより、壁１と窓４の電磁波遮蔽層を電気的に一体に接続したものである。扉５は、電磁波遮蔽材からなるパネルを用い、扉閉時に扉５の周囲が壁１に設けられた扉三方枠６及び床３と電気的に接続可能にしたものである。
【０００４】
このようにして、ビル内を１つの電磁波遮蔽空間としてではなく、各フロア毎に上下の天井や床において電磁波遮蔽材で仕切り、或いは各フロアにおいて部屋間の壁を電磁波遮蔽材で仕切ることによって、各フロア毎、或いは各部屋毎に独立した複数の電磁波遮蔽空間を構成することができる。
【０００５】
【発明が解決しようとする課題】
ところで、携帯電話の普及により、今後周波数が不足することが想定される。現在利用されているＰＨＳについて説明すると、同一範囲、同一時刻ではチャンネルの制限から３０〜５０台程度が最大とされ、このことは通常のオフィスでは電話利用率１５％を考慮すると、同一建物内では３００台程度しか利用できないということになる。さらに、隣接する建物で使う同一システムの影響を考慮すると、上記台数は更に少なくなると想定される。
【０００６】
しかしながら、高性能の電磁波遮蔽を達成する場合、その性能を大きく左右する部位は窓開口部であるが、現状の電磁波遮蔽ガラスは高価であり、低コストの工法が求められている。
【０００７】
本発明は、上記問題を解決するものであって、低コストで高性能の電磁波遮蔽を達成することができる電磁波遮蔽窓を提供することを目的とする。
【０００８】
【課題を解決するための手段】
上記目的を達成するために本発明の請求項１記載の電磁波遮蔽窓は、複層ガラスを支持するサッシ枠と、該サッシ枠と前記複層ガラスの間に配設された導電性バックアップ材と、複層ガラスの層内および層外の２面に貼られた導電性フィルムと、前記層内側の導電性フィルムに張られた導電性メッシュとを備え、前記層内側および層外側の導電性フィルムを延設し導電性バックアップ材を介してサッシ枠に電気的に接続し、前記導電性メッシュを導電性バックアップ材とサッシ枠の間を通してサッシ枠に電気的に接続したことを特徴とし、
請求項２記載の発明は、複層ガラスを支持するサッシ枠と、該サッシ枠と前記複層ガラスの間に配設された導電性バックアップ材と、複層ガラスの層内の２面に貼られた導電性フィルムと、前記２面の導電性フィルムに張られた導電性メッシュとを備え、前記２面の導電性フィルムを延設し導電性バックアップ材を介してサッシ枠に電気的に接続し、前記２面の導電性メッシュを導電性バックアップ材とサッシ枠の間を通してサッシ枠に電気的に接続したことを特徴とする。
【０００９】
【発明の実施の形態】
以下、本発明の実施の形態を図面を参照しつつ説明する。図１は、本発明の電磁波遮蔽窓の１実施形態を示す要部断面図である。
【００１０】
図１において、電磁波遮蔽窓４は、サッシ枠７と、サッシ枠７内の周囲に複数個設置されたセッティングブロック９と、このセッティングブロック９に嵌め込まれた複層ガラス１０と、複層ガラス１０とサッシ枠７の間に配設されたバックアップ材１１、１２と、バックアップ材１１、１２の上面とサッシ枠７及び複層ガラス１０間に充填されるシール材１３とから構成されている。
【００１１】
室内側のバックアップ材１２は導電性バックアップ材からなっている。複層ガラス１０は、間隔を置いて配設された２枚のガラス１０ａ、１０ｂからなり、ガラス１０ａの層内及び層外の両面には透光性の導電性フィルム１５ａ、１５ｂが貼られ、その端部は導電性バックアップ材１２側に延設されている。そして、ガラス１０ａの層内側の導電性フィルム１５ａの表面、ガラス１０ａとセッティングブロック９の間、導電性バックアップ材１２とサッシ枠７の間を通って導電性メッシュ１６が設けられている。
【００１２】
なお、図ではガラス１０ａとセッティングブロック９の間に空間を設けているが、これは理解を容易にするためで、ガラス１０ａとセッティングブロック９の間には導電性フィルム１５ａと導電性メッシュ１６が挟着されている。
【００１３】
上記構成の電磁波遮蔽窓４においては、複層ガラス１０には、２層の導電性フィルム１５ａ、１５ｂと導電性メッシュ１６が設けられているため、広い適用周波数帯でかつ高性能の電磁波遮蔽を達成することができ、かつ、２層の導電性フィルム１５ａ、１５ｂが導電性メッシュ１６及び導電性バックアップ材１２を介してサッシ枠７に電気的に接続されているため、複層ガラス１０とサッシ枠７との間から侵入しようとする電磁波も確実に遮蔽され、その結果、３０ＭＨｚ〜１０ＧＨｚの周波数帯で７０〜８０ｄＢの電磁波遮蔽性能を達成することができる。
【００１４】
図２及び図３は、本発明の電磁波遮蔽窓の他の実施形態を示す要部断面図である。なお、図１と同一の構成には同一番号を付けて説明を省略する。
【００１５】
図２の実施形態においては、室外側のガラス１０ｂの層内側と室内側のガラス１０ａの層外側の面に透光性の導電性フィルム１５ａ、１５ｂが貼られ、ガラス１０ｂ側の導電性フィルム１５ａの端部は導電性バックアップ材１２側に延設され、導電性フィルム１５ａの表面、ガラス１０ｂとセッティングブロック９の間、導電性バックアップ材１２とサッシ枠７の間を通って導電性メッシュ１６が設けられている。また、サッシ枠７の室内側に導電性テープ１７を挟んで接続部材１９がネジ２０により固定され、接続部材１９は、導電性テープ１７を室内側のガラス１０ａの導電性フィルム１５ａに押圧して電気的接続を図るようにしている。本実施形態においても、３０ＭＨｚ〜１０ＧＨｚの周波数帯で７０〜８０ｄＢの電磁波遮蔽性能を達成することができる。
【００１６】
図３の実施形態においては、複層ガラスを３枚のガラス１０ａ、１０ｂ、１０ｃで構成し、室内側のガラス１０ａと室外側のガラス１０ｂの層内側の面に透光性の導電性フィルム１５ａ、１５ｂが貼られ、両導電性フィルム１５ａ、１５ｂの端部は導電性バックアップ材１２側に延設され、導電性フィルム１５ａ、１５ｂの表面、ガラス１０ａ、１０ｂとセッティングブロック９の間、導電性バックアップ材１２とサッシ枠７の間を通って導電性メッシュ１６が設けられている。本実施形態においては、導電性メッシュ１６が２枚になるため、３０ＭＨｚ〜１０ＧＨｚの周波数帯で８０〜１００ｄＢの電磁波遮蔽性能を達成することができる。
【００１７】
【発明の効果】
以上の説明から明らかなように、本発明によれば、複層ガラスに２層の導電性フィルムと導電性メッシュを設け、これらとサッシ枠の電気的接続を可能にすることにより、低コストで高性能の電磁波遮蔽を達成することができる。
【図面の簡単な説明】
【図１】本発明の電磁波遮蔽窓の１実施形態を示す要部断面図である。
【図２】本発明の電磁波遮蔽窓の他の実施形態を示す要部断面図である。
【図３】本発明の電磁波遮蔽窓の他の実施形態を示す要部断面図である。
【図４】本発明に係わる電磁波遮蔽ビルの構成概要を示す図である。
【符号の説明】
７…サッシ枠
１０…複層ガラス、１０ａ〜１０ｃ…ガラス
１２…導電性バックアップ材
１５ａ、１５ｂ…導電性フィルム
１６…導電性メッシュ
１７…導電性テープ
１９…接続部材
【図１】
0003561826.tif 000002
【図２】
0003561826.tif 000003
【図３】
0003561826.tif 000004
【図４】
0003561826.tif 000005